(57)【要約】【課題】記録媒体との間でデータ転送可能なＤＳＣがプリンタに対してダイレクト通信可能に接続されるプリントシステムにおいて、デフォルトでサポートされていないファイルパスの画像を含むＤＰＯＦオンライン印刷に対応できるようにする。【解決手段】ＤＳＣ２０はＤＰＯＦファイルを指定して印刷ジョブの開始コマンドをプリンタ１０に発行し、プリンタはファイルＩＤを指定してファイル取得のコマンドをＤＳＣに発行し、ＤＳＣはファイル内容の印刷指示情報をプリンタに転送し、プリンタは印刷指示情報を解析し、印刷対象の画像オブジェクトのファイルパスを抽出し、このファイルパスについてのファイルＩＤの取得のコマンドを発行し、ＤＳＣはファイルパスに対応するファイルＩＤがマッピングされていないときは、印刷ジョブのジョブＩＤと画像オブジェクト情報からインデックスを生成しファイルＩＤとしてマッピングし、プリンタに返送する。【選択図】図１
2007066156.tif 000002
【特許請求の範囲】
【請求項１】
画像記録媒体との間でデータ転送可能な画像供給装置がプリンタに対してダイレクトに通信可能に接続されるダイレクトプリントシステムにおいて、
前記画像供給装置は少なくとも前記画像記録媒体における特定の画像ファイルおよび印刷指示情報ファイルの各々に対して固定長のファイルＩＤを割り当て、
前記画像供給装置は前記画像記録媒体に記録されている前記印刷指示情報ファイルを前記固定長のファイルＩＤで指定して前記プリンタに対してオンラインでの印刷ジョブの開始コマンドを発行し、
前記印刷ジョブの開始コマンドを受け取った前記プリンタは前記印刷指示情報ファイルの前記固定長のファイルＩＤを指定してファイル取得のコマンドを前記画像供給装置に対して発行し、
前記ファイル取得のコマンドを受け取った前記画像供給装置は前記印刷指示情報ファイルの内容である前記印刷指示情報を前記プリンタに転送し、
前記プリンタは受け取った前記印刷指示情報を解析し、印刷指示にかかわる画像オブジェクトのファイルパスを抽出し、このファイルパスについてのファイルＩＤの取得のコマンドを前記画像供給装置に対して発行し、
前記画像供給装置は受け取ったファイルＩＤ取得コマンドの前記ファイルパスに対応するファイルＩＤがマッピングされていないときは、その画像オブジェクトに対して、前記印刷指示情報ファイル内の印刷ジョブのジョブＩＤと画像オブジェクト情報からインデックスを生成し、生成されたインデックスをファイルＩＤとしてマッピングし、前記プリンタに返送するように構成されている画像オブジェクト管理方法。
【請求項２】
前記インデックスは、前記印刷ジョブのジョブＩＤと画像オブジェクト情報から生成されたものであることを識別するためのビットを有している請求項１に記載の画像オブジェクト管理方法。
【請求項３】
前記印刷指示情報ファイルは、ＤＰＯＦ形式の自動印刷ファイルである請求項１または請求項２に記載の画像オブジェクト管理方法。
【請求項４】
前記画像供給装置と前記プリンタとのインターフェイスがＵＳＢであり、ＰＴＰプロトコルレイヤを用いて通信する請求項１から請求項３までのいずれかに記載の画像オブジェクト管理方法。
【請求項５】
前記画像供給装置は、光学的な画像撮像手段を備えたデジタルスチルカメラに構成されている請求項１から請求項４までのいずれかに記載の画像オブジェクト管理方法。
【請求項６】
前記画像供給装置は、前記生成されたインデックスをファイルＩＤとしてマッピングして前記プリンタと通信し画像オブジェクトを管理している間は、前記印刷指示情報ファイルの内容の更新を禁止する請求項１から請求項５までのいずれかに記載の画像オブジェクト管理方法。
【請求項７】
画像記録媒体との間でデータ転送可能で、かつプリンタに対してダイレクトに通信可能に接続される画像供給装置であって、
前記画像記録媒体における特定の画像ファイルおよび印刷指示情報ファイルの各々に対して固定長のファイルＩＤを割り当てる手段と、
前記画像記録媒体に記録されている前記印刷指示情報ファイルを前記固定長のファイルＩＤで指定して前記プリンタに対してオンラインでの印刷ジョブの開始コマンドを発行する手段と、
前記印刷ジョブの開始コマンドを受け取った前記プリンタが、前記印刷指示情報ファイルの前記固定長のファイルＩＤを指定して発行するファイル取得のコマンドを受け取ったときに、前記印刷指示情報ファイルの内容である前記印刷指示情報を前記プリンタに転送する手段と、
前記印刷指示情報における印刷指示にかかわる画像オブジェクトのファイルパスについて、前記プリンタが発行するファイルＩＤの取得のコマンドを受け取ったときに、前記ファイルパスに対応するファイルＩＤがマッピングされていないときは、その画像オブジェクトに対して、前記印刷指示情報ファイル内の印刷ジョブのジョブＩＤと画像オブジェクト情報からインデックスを生成し、生成されたインデックスをファイルＩＤとしてマッピングする手段と、
前記マッピングしたファイルＩＤを前記プリンタに返送する手段とを備えた画像供給装置。
【請求項８】
さらに、光学的な画像撮像手段を備えてデジタルスチルカメラに構成されている請求項７に記載の画像供給装置。
【発明の詳細な説明】
【技術分野】
【０００１】
本発明は、ＳＤ（Secure Digital）メモリカードのような画像記録媒体との間でデータ転送可能な画像供給装置がプリンタに対してダイレクトに通信可能に接続されるダイレクトプリントシステムにおける画像オブジェクト管理方法および画像供給装置に関する。ここで、画像供給装置とは、ピクトブリッジ（PictBridge）対応の撮像機器である例えばデジタルスチルカメラ（ＤＳＣ）のようなものである。例えばＤＳＣにはピクトブリッジ対応の印刷制御装置が組み込まれており、この印刷制御装置とプリンタとの間でのダイレクト通信における画像オブジェクト管理方法が本発明の対象である。
【背景技術】
【０００２】
デジタル家電技術の進化により、デジタルスチルカメラ（ＤＳＣ）とプリンタ、そしてパーソナルコンピュータ（ＰＣ）を用いて、個人が自分で撮影した画像を手軽に印刷できるようになってきている。
【０００３】
特に、ＤＳＣとプリンタをＵＳＢ（Universal Serial Bus）（非特許文献１参照）等のインターフェイスで直接接続し、印刷を実行するダイレクトプリント機能に対応した機器であれば、ＰＣを所有しないユーザーであっても印刷が可能となるため、個人による写真印刷は、より一層、身近なものになりつつある。
【０００４】
ダイレクトプリント機能にはいくつかの方式が存在する。代表的なものとしては、有限責任中間法人カメラ映像機器工業会（ＣＩＰＡ（Camera & Imaging Products Association））において標準化されたピクトブリッジ（非特許文献２参照）を挙げることができる。
【０００５】
ピクトブリッジ規格がＵＳＢを介してＤＳＣとプリンタを直接接続して印刷を実行するのに対し、メモリカードを介してオフラインで印刷する方式を規定しているＤＰＯＦ（Digital Print Order Format）規格（非特許文献３参照）もある。そして、ピクトブリッジ規格、ＤＰＯＦ規格の両方の規格をサポートする機器も数多く存在する。ＤＰＯＦは、記録媒体に格納されている複数の画像オブジェクトのうち、印刷したい画像オブジェクトを指定し、また指定した画像オブジェクトの印刷枚数を指定するための技術である。
【特許文献１】特開２００４−７０６１１号公報（第９−１１頁、第７−１０図）
【非特許文献１】「Universal Serial Bus Specification Revision2.0」 Compaq/Hewlett-Packard/Intel/Microsoft/Philips April 27,2000
【非特許文献２】「White Paper of CIPA-DC-001-2003 Digital Photo Solutions for Imaging Devices」  有限責任中間法人カメラ映像機器工業会  ２００３年２月３日
【非特許文献３】「ＤＰＯＦ Ｖｅｒ１．１０ 参考資料」キヤノン株式会社、イーストマン・コダック社、富士写真フィルム（株）、松下電器産業（株）  ２０００年７月１７日
【発明の開示】
【発明が解決しようとする課題】
【０００６】
ピクトブリッジ規格では、オフライン処理を前提としたＤＰＯＦ自動印刷をオンラインで実行するためのＤＰＯＦオンライン印刷仕様を規定している。このＤＰＯＦオンライン印刷仕様は、ＤＳＣ側が印刷対象オブジェクトとしてＤＰＯＦ自動印刷ファイルを指定して印刷ジョブを発行すると、プリンタがＤＰＯＦ自動印刷ファイルの読み込み、解析を行い、ＤＰＯＦ自動印刷ファイルに記述された内容に従って必要な画像ファイルをＤＳＣから読み込み、ＤＰＯＦ自動印刷を実行するものである。
【０００７】
ＤＰＯＦ自動印刷では、自動印刷ファイル（ＡＵＴＰＲＩＮＴ．ＭＲＫ）が存在するディレクトリ（￥ＭＩＳＣ）からの相対パスが規定の文字数以内の画像ファイルであれば、全て有効な画像ファイルとして指定することができる。
【０００８】
一方、ピクトブリッジ規格では、画像オブジェクトは３２ビットのファイルＩＤで表現することが規定されており、このファイルＩＤは、ストレージ上の画像オブジェクトと一対一に対応している必要がある。
【０００９】
ＤＰＯＦ自動印刷ファイルに記述可能なすべての画像オブジェクトをファイルＩＤで表現することは、メモリサイズの制限から、組み込み機器においては実現が難しい。このため、既存のＤＳＣでは、サポートする画像オブジェクトをＤＣＦ（Design rule for Camera File system）規格準拠のものに限定している。ＤＣＦ規格に準拠していないファイルはＤＰＯＦ自動印刷の設定は不可となっている。そして、ＤＰＯＦ自動印刷ファイルに非ＤＣＦの画像が記述されていた場合、プリンタからのファイルＩＤ取得コマンドにはエラー応答することで、ＤＰＯＦオンライン印刷を実現しているものも存在する。
【００１０】
この方法では、例えば、自動印刷ファイルに非ＤＣＦの画像オブジェクトを含む複数画像のインデックス印刷が記述されていた場合、非ＤＣＦの画像オブジェクトをプリンタが取得できなくなり、ユーザー設定と異なる印刷結果が出力される。プリンタによっては、印刷できない可能性もある。
【課題を解決するための手段】
【００１１】
上記の課題を解決するために、本発明による画像オブジェクト管理方法は、次のように構成されている。画像記録媒体との間でデータ転送可能なＤＳＣ（デジタルスチルカメラ）等の画像供給装置がプリンタに対してダイレクトに通信可能に接続されるダイレクトプリントシステムにおいて、画像供給装置は、デフォルトとして、画像記録媒体における特定の画像ファイルおよび印刷指示情報ファイルに固定長のハンドルに対応する例えば３２ビット固定長のファイルＩＤを割り当てる。ユーザーは画像供給装置において、画像記録媒体内の複数の画像オブジェクトの中から印刷したい画像オブジェクトを選択指定するとともに、印刷枚数を設定し、このように印刷指示をした印刷指示情報ファイル（例えばＤＰＯＦ自動印刷ファイル）を生成し、画像記録媒体に格納しておく。ここでは、選択指定した画像オブジェクトに、デフォルトでは固定長のファイルＩＤがマッピングされない非ＤＣＦの画像オブジェクトが含まれているものとする。
【００１２】
ＵＳＢケーブル等を利用して画像供給装置とプリンタとをダイレクト通信可能な状態にする。ユーザーの印刷操作に基づいて、画像供給装置は、印刷指示情報ファイルを固定長のファイルＩＤで指定して印刷ジョブの開始コマンドを発行する。この開始コマンドを受け取ったプリンタは、印刷指示情報ファイルの中身である印刷指示情報を取得するべく、当該印刷指示情報ファイルについての固定長のファイルＩＤを指定してファイル取得のコマンドを発行する。このファイル取得のコマンドを受け取った画像供給装置は、印刷指示情報をプリンタに転送する。プリンタは受け取った印刷指示情報を解析し、印刷指示にかかわる画像オブジェクトのファイルパスを抽出し、このファイルパスについてのファイルＩＤの取得のコマンドを発行する。ファイルＩＤ取得コマンドを受け取った画像供給装置は、デフォルトではサポートされていないファイルパスに画像オブジェクトが記述されている否かを調べる。すなわち、非ＤＣＦの画像オブジェクトが存在する否かを調べる。ファイルパスに対応するファイルＩＤがマッピングされていればよいが、そうでなく非ＤＣＦの画像オブジェクトのためにファイルＩＤがマッピングされてないときは、プリンタ側はファイルＩＤを取得できない。そこで、画像供給装置は、その画像オブジェクトに対して、印刷指示情報ファイル内の印刷ジョブのジョブＩＤと画像オブジェクト情報から所定の変換則に従ってインデックスを生成し、生成されたインデックスをファイルＩＤとしてマッピングし、そのマッピングしたファイルＩＤをプリンタに返送する。
【００１３】
また、本発明による画像供給装置は、画像記録媒体との間でデータ転送可能で、かつプリンタに対してダイレクトに通信可能に接続される画像供給装置であって、
前記画像記録媒体における特定の画像ファイルおよび印刷指示情報ファイルの各々に対して固定長のファイルＩＤを割り当てる手段と、
前記画像記録媒体に記録されている前記印刷指示情報ファイルを前記固定長のファイルＩＤで指定して前記プリンタに対してオンラインでの印刷ジョブの開始コマンドを発行する手段と、
前記印刷ジョブの開始コマンドを受け取った前記プリンタが、前記印刷指示情報ファイルの前記固定長のファイルＩＤを指定して発行するファイル取得のコマンドを受け取ったときに、前記印刷指示情報ファイルの内容である前記印刷指示情報を前記プリンタに転送する手段と、
前記印刷指示情報における印刷指示にかかわる画像オブジェクトのファイルパスについて、前記プリンタが発行するファイルＩＤの取得のコマンドを受け取ったときに、前記ファイルパスに対応するファイルＩＤがマッピングされていないときは、その画像オブジェクトに対して、前記印刷指示情報ファイル内の印刷ジョブのジョブＩＤと画像オブジェクト情報からインデックスを生成し、生成されたインデックスをファイルＩＤとしてマッピングする手段と、
前記マッピングしたファイルＩＤを前記プリンタに返送する手段とを備えたものである。
【００１４】
このように本発明によれば、ＤＰＯＦ自動印刷ファイルなどの印刷指示情報ファイルにデフォルトではサポートされていないファイルパスに存在する非ＤＣＦ等の画像オブジェクトが記述されている場合でも、印刷ジョブのジョブＩＤと画像オブジェクト情報からインデックスを生成してファイルＩＤとして割り当てるようにしたので、プリンタからのファイルＩＤ取得コマンドに正常に応答することが可能となる。
【００１５】
上記において、前記インデックスは、前記印刷ジョブのジョブＩＤと画像オブジェクト情報から生成されたものであることを識別するためのビットを有していることが好ましい。これにより、非ＤＣＦ等のデフォルトではサポートされていない画像オブジェクトであることを確実に認識することができる。
【００１６】
また、上記において、前記画像供給装置は、前記生成されたインデックスをファイルＩＤとしてマッピングして前記プリンタと通信し画像オブジェクトを管理している間は、前記印刷指示情報ファイルの内容の更新を禁止することが好ましい。これは、中途でのファイル内容更新に起因するトラブルを未然に確実に防止するためである。
【００１７】
上記において、前記印刷指示情報ファイルは、ＤＰＯＦ形式の自動印刷ファイルを代表例とする。ただし、ＨＴＭＬ（Hyper Text Markup Language）やＸＭＬ（eXtensible Markup Language）などのマークアップランゲージ方式のものでもよい。
【００１８】
また、上記において、前記画像供給装置と前記プリンタとのインターフェイスがＵＳＢであり、ＰＴＰ（Picture Transfer Protocol）レイヤを用いて通信するものとする。ただし、物理インターフェイスは、例えばＩＥＥＥ１３９４、赤外線通信、Ｂｌｕｅｔｏｏｔｈ仕様でもよく、トランスポートレイヤは、例えばＭＴＰ（Media Transfer Protocol）であってもよい。
【００１９】
また、上記において、前記画像供給装置は、光学的な画像撮像手段を備えたデジタルスチルカメラに構成されているのが一般的であるが、必ずしもそれのみに限定する必要はなく、広く任意の形態の機器・装置に適用され得るものとする。
【発明の効果】
【００２０】
本発明によれば、使用メモリサイズを殆ど増加させることなく、デフォルトでサポートされていないファイルパスに存在する画像オブジェクトを含むＤＰＯＦオンライン印刷に際して、ユーザー設定を忠実に反映した印刷を実行できるという利点がある。
【発明を実施するための最良の形態】
【００２１】
以下、本発明にかかわる画像オブジェクト管理方法の実施の形態を図面に基づいて詳細に説明する。
【００２２】
図１は本発明の実施の形態における画像オブジェクト管理方法の一例を示す概略構成図である。
【００２３】
図１において、１０はＤＰＯＦオンライン印刷仕様を有するピクトブリッジホストとしてのプリンタ、２０はピクトブリッジデバイスとしてのデジタルスチルカメラ（ＤＳＣ）等の画像供給装置、１１はプリンタ１０と画像供給装置２０をつなぐＵＳＢバスである。
【００２４】
画像供給装置２０は、ＵＳＢ Ｂ レセプタクル２１、ＵＳＢデバイスコントローラ２２、ピクトブリッジプロトコルエンジン２３、ＣＰＵバス２４、ＳＤカードコントローラ２５、ＳＤバス２６およびＣＰＵ２８とメモリ２９からなるシステムコントローラ２７を備えている。
【００２５】
画像供給装置２０は、ＵＳＢ Ｂ レセプタクル２１をＩ／Ｆ端子としてプリンタ１０との間でＵＳＢバス１１を介した通信を行う。ＵＳＢプロトコルはＵＳＢデバイスコントローラ２２によって制御される。ＰＴＰおよびピクトブリッジプロトコルはＵＳＢプロトコルの上位プロトコルとして機能し、その制御はＰＴＰ／ピクトブリッジプロトコルエンジン２３が司る。画像供給装置２０において、画像データは画像記録媒体であるＳＤメモリカード３０に蓄積されている。ＳＤメモリカード３０は、ＳＤカードコントローラ２５とＳＤバス２６を介して通信する。システム全体の制御は、システムコントローラ２７が司る。システムコントローラ２７と各制御デバイスとはＣＰＵバス２４を介して接続されている。
【００２６】
今、画像供給装置２０とプリンタ１０との間には、ピクトブリッジプロトコルによる通信が確立しているものとする。
【００２７】
このときのＳＤメモリカード３０のディレクトリ構成を図２に示す。画像供給装置２０は、ＤＣＦファイルの印刷およびＤＰＯＦオンライン印刷をサポートすべく、デフォルトでは図２の破線内に存在するディレクトリ、ファイルのみを検索し、それぞれに３２ビットのファイルＩＤを０ｘ０００００００１から連番でマッピングする。ルートディレクトリは、ルートディレクトリを示す特別なＩＤとして、固定値０ｘＦＦＦＦＦＦＦＦを割り当てる。“０ｘ”は１６進数を表す。“０００００００１”は１６進表示で３２ビットである。
【００２８】
図２では、ＭＩＳＣにファイルＩＤ＝０ｘ０００００００１が割り当てられ、ＤＰＯＦ自動印刷ファイルであるＡＵＴＰＲＩＮＴ．ＭＲＫにファイルＩＤ＝０ｘ０００００００２が割り当てられ、ＤＣＩＭにファイルＩＤ＝０ｘ０００００００３が割り当てられ、ＤＣＦディレクトリである１００ＡＡＡＡＡにファイルＩＤ＝０ｘ０００００００４が割り当てられ、ＤＣＦ画像ファイルであるＡＢＣＤ０００１．ＪＰＧにファイルＩＤ＝０ｘ０００００００５が、ＡＢＣＤ０００２．ＪＰＧにファイルＩＤ＝０ｘ０００００００６が、ＡＢＣＤ０００３．ＪＰＧにファイルＩＤ＝０ｘ０００００００７がそれぞれ割り当てられている。
【００２９】
図３は、ＤＰＯＦ自動印刷ファイルであるＡＵＴＰＲＩＮＴ．ＭＲＫの記述内容である。実行すべき印刷ジョブとして２種類の印刷ジョブ（ＰＲＴ ＰＩＤ＝００１の印刷ジョブとＰＲＴ ＰＩＤ＝００２の印刷ジョブ）が記述されている。ここで、ＰＩＤは、ＤＰＯＦ規格上のジョブを規定するジョブＩＤである。
【００３０】
このＡＵＴＰＲＩＮＴ．ＭＲＫには、デフォルトでサポートされていない図２で鎖線で囲むファイルパス（ＪＰＥＧ／ＩＭＡＧＥ）に存在する画像オブジェクトの「ＩＭＡＧＥ１．ＪＰＧ」「ＩＭＡＧＥ２．ＪＰＧ」「ＩＭＡＧＥ３．ＪＰＧ」が記述されている。
【００３１】
上記の前提条件において、画像供給装置２０からプリンタ１０に対してＤＰＯＦオンライン印刷を実行した場合を考える。
【００３２】
まず、画像供給装置２０は、ファイルタイプにＤＰＯＦ、ファイルＩＤにＡＵＴＰＲＩＮＴ．ＭＲＫのファイルＩＤ（＝０ｘ０００００００２）を指定して印刷ジョブ開始コマンドを発行する。
【００３３】
印刷ジョブ開始コマンドを受信したプリンタ１０は、ＡＵＴＰＲＩＮＴ．ＭＲＫの実体を取得するため、ファイルＩＤ＝０ｘ０００００００２を指定してファイル取得コマンドを発行し、ＡＵＴＰＲＩＮＴ．ＭＲＫを取得し、ＤＰＯＦ自動印刷ファイルの解析を行う。
【００３４】
プリンタ１０は、ＡＵＴＰＲＩＮＴ．ＭＲＫの解析の結果、６つの印刷ファイル、すなわち、／ＭＩＳＣからの相対パスとして、
．．／ＤＣＩＭ／１００ＡＡＡＡＡ／ＡＢＣＤ０００１．ＪＰＧ
．．／ＤＣＩＭ／１００ＡＡＡＡＡ／ＡＢＣＤ０００２．ＪＰＧ
．．／ＤＣＩＭ／１００ＡＡＡＡＡ／ＡＢＣＤ０００３．ＪＰＧ
．．／ＪＰＥＧ／ＩＭＡＧＥ１．ＪＰＧ
．．／ＪＰＥＧ／ＩＭＡＧＥ２．ＪＰＧ
．．／ＪＰＥＧ／ＩＭＡＧＥ３．ＪＰＧ
のファイルＩＤを取得する必要があると解釈し、上記相対パスをパラメータとして、各々のファイルＩＤの取得を試みる。
【００３５】
ここで、画像供給装置２０において、ＤＣＩＭディレクトリ下の画像ファイル（ＤＣＦ画像ファイル）に関しては、デフォルトのファイルＩＤマッピング範囲に包含されているものの、ＪＰＥＧディレクトリ下の画像ファイルは、デフォルトではファイルＩＤがマッピングされていないため、ファイルＩＤを取得できない。一方、これらのファイルパスは、ＤＰＯＦ仕様としては有効なファイルパスである。
【００３６】
このとき、画像供給装置２０は、ＤＰＯＦ自動印刷ファイルにデフォルトでサポートされていないファイルパスに存在する画像オブジェクトが記述されていると認識し、以下の変換則を用いてファイルＩＤに変換することによって、全てのファイルＩＤをプリンタ１０に返送する。
【００３７】
〔変換則〕
（デフォルトマッピング外識別ビット）｜（ＪＯＢのＰＩＤ）｜（（ＪＯＢ内）ｎ番目のＩＭＧ  ＳＲＣ）
この変換則を適用すると、
（１）．．／ＪＰＥＧ／ＩＭＡＧＥ１．ＪＰＧのファイルＩＤ
＝（１＜＜３１）｜（１＜＜１６）｜３
＝０ｘ８００１０００３
（２）．．／ＪＰＥＧ／ＩＭＡＧＥ２．ＪＰＧのファイルＩＤ
＝（１＜＜３１）｜（１＜＜１６）｜４
＝０ｘ８００１０００４
（３）．．／ＪＰＥＧ／ＩＭＡＧＥ３．ＪＰＧのファイルＩＤ
＝（１＜＜３１）｜（１＜＜１６）｜５
＝０ｘ８００１０００５
となる。最上位ビット（ビット３２）がデフォルトマッピング外識別ビットに対応し、ビット３１〜ビット１７がＪＯＢのＰＩＤに対応する。
【００３８】
このように、ファイルＩＤをマッピングしたので、画像供給装置２０では、図３の非ＤＣＦの画像オブジェクトを含むＡＵＴＰＲＩＮＴ．ＭＲＫに対しても、ＤＰＯＦオンライン印刷を完全な形でサポートすることが可能となる。
【００３９】
なお、ＤＰＯＦオンライン印刷中にＡＵＴＰＲＩＮＴ．ＭＲＫファイルが更新されることを抑止すべく、ピクトブリッジプロトコル通信が確立している間は、ＡＵＴＰＲＩＮＴ．ＭＲＫファイルの更新を禁止するものとする。
【００４０】
以上のように本実施の形態によれば、メモリ使用量を節約し、かつ簡易な構成での実装としながら、ＤＰＯＦオンライン印刷の高水準サポートを実現できる。
【産業上の利用可能性】
【００４１】
本発明の画像オブジェクト管理方法は、印刷ジョブのジョブＩＤと画像オブジェクト情報からインデックスを生成してファイルＩＤとして割り当てることから、組み込み機器のような使用可能なメモリ容量に制限がある環境におけるＰＣレスのダイレクト印刷機能に関して高い互換性が求められる用途に幅広く適用することができる。
【図面の簡単な説明】
【００４２】
【図１】本発明の実施の形態における画像オブジェクト管理方法の一例を示す概略構成図
【図２】本発明の実施の形態におけるＳＤメモリカードのディレクトリ構成図
【図３】本発明の実施の形態におけるＤＰＯＦ自動印刷ファイルＡＵＴＰＲＩＮＴ．ＭＲＫの記述内容の展開図
【符号の説明】
【００４３】
１０：プリンタ（ピクトブリッジホスト）
１１：ＵＳＢバス
２０：画像供給装置（ＤＳＣ：ピクトブリッジデバイス）
２１：ＵＳＢ Ｂ レセプタクル
２２：ＵＳＢデバイスコントローラ
２３：ＰＴＰ／ピクトブリッジプロトコルエンジン
２４：ＣＰＵバス
２５：ＳＤカードコントローラ
２６：ＳＤバス
２７：システムコントローラ
２８：ＣＰＵ
２９：メモリ
３０：ＳＤメモリカード（画像記録媒体）
【図１】
2007066156.tif 000003
【図２】
2007066156.tif 000004
【図３】
2007066156.tif 000005